【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
記録媒体に記録されているデータを再生する再生装置において、
上記記録媒体ごとの少なくとも１つのデータにより構成される固有コードに対応して、種々の設定状態があらかじめ記憶されている記憶手段と、
上記記録媒体が装填された際に、上記記録媒体の固有コードを読出し、この固有コードと一致する固有コードに対応する種々の設定状態を上記記憶手段から読出す読出手段と、
この読出手段により読出された種々の設定状態に設定する設定手段と、
この設定手段により種々の設定状態に設定された状態で、上記記録媒体のデータを再生する再生手段と、を具備したことを特徴とする再生装置。
【請求項２】
記録媒体に記録されているデータを再生する再生装置において、
上記記録媒体ごとの少なくとも１つのデータにより構成される固有コードに対応して、前回装填時の再生停止位置があらかじめ記憶されている記憶手段と、
上記記録媒体が装填された際に、上記記録媒体の固有コードを読出し、この固有コードと一致する固有コードに対応する前回装填時の再生停止位置を上記記憶手段から読出す読出手段と、
この読出手段により読出された再生停止位置から上記記録媒体のデータを再生する再生手段と、
を具備したことを特徴とする再生装置。
【請求項３】
記録媒体に記録されているデータを再生する再生装置において、
上記記録媒体ごとの２つ以上のデータにより構成される固有コードに対応して、種々の設定状態があらかじめ記憶されている記憶手段と、
上記記録媒体が装填された際に、上記記録媒体の２つ以上のデータを読出して固有コードを生成し、この生成した固有コードと一致する固有コードに対応する種々の設定状態を上記記憶手段から読出す読出手段と、
この読出手段により読出された種々の設定状態に設定する設定手段と、
この設定手段により種々の設定状態に設定された状態で、上記記録媒体のデータを再生する再生手段と、
を具備したことを特徴とする再生装置。
【請求項４】
記録媒体に記録されているデータを再生する再生装置において、
上記記録媒体ごとの２つ以上のデータにより構成される固有コードに対応して、前回装填時の再生停止位置があらかじめ記憶されている記憶手段と、
上記記録媒体が装填された際に、上記記録媒体の２つ以上のデータを読出して固有コードを生成し、この生成した固有コードと一致する固有コードに対応する前回装填時の再生停止位置を上記記憶手段から読出す読出手段と、
この読出手段により読出された再生停止位置から上記記録媒体のデータを再生する再生手段と、
を具備したことを特徴とする再生装置。
【請求項５】
一部の領域に管理領域と、他の領域にデータ領域が形成され、上記データ領域には、少なくとも１つの主映像データと、この主映像データと同一時間帯に再生可能な少なくとも１つの副映像データ、および少なくとも１つのオーディオデータとが記録されている記録媒体から主映像データ、副映像データ、およびオーディオデータを再生する再生装置において、
上記記録媒体のデータ領域の主映像データ、副映像データ、およびオーディオデータを読取る読取手段と、
この読取手段により読取られた主映像データと副映像データとオーディオデータを再生出力に変換する変換手段と、
この変換手段により変換された再生出力を出力する出力手段と、
この出力手段により再生出力を出力する際の種々の状態を設定する設定手段と、
上記記録媒体の管理領域に記録されている少なくとも１つのデータにより構成される固有コードを読出す読出手段と、上記設定手段により設定される種々の設定状態を上記読出手段により読出した固有コードに対応して記憶する記憶手段と、
を具備したことを特徴とする再生装置。
【請求項６】
一部の領域に管理領域と、他の領域にデータ領域が形成され、上記データ領域には、少なくとも１つの主映像データと、この主映像データと同一時間帯に再生可能な少なくとも１つの副映像データ、および少なくとも１つのオーディオデータとが記録されている記録媒体から主映像データ、副映像データ、およびオーディオデータを再生する再生装置において、
上記記録媒体のデータ領域の主映像データ、副映像データ、およびオーディオデータを読取る読取手段と、
この読取手段により読取られた主映像データと副映像データとオーディオデータを再生出力に変換する変換手段と、
この変換手段により変換された再生出力を出力する出力手段と、
上記記録媒体の管理領域に記録されている少なくとも１つのデータにより構成される固有コードを読出す読出手段と、
上記記録媒体の取出し時に、上記読出手段により読出した固有コードに対応して再生停止位置を記憶する記憶手段と、
を具備したことを特徴とする再生装置。
【請求項７】
一部の領域に管理領域と、他の領域にデータ領域が形成され、上記データ領域には、少なくとも１つの主映像データと、この主映像データと同一時間帯に再生可能な少なくとも１つの副映像データ、および少なくとも１つのオーディオデータとが記録されている記録媒体から主映像データ、副映像データ、およびオーディオデータを再生する再生装置において、
上記記録媒体のデータ領域の主映像データ、副映像データ、およびオーディオデータを読取る読取手段と、
この読取手段により読取られた主映像データと副映像データとオーディオデータを再生出力に変換する変換手段と、
この変換手段により変換された再生出力を出力する出力手段と、
この出力手段により再生出力を出力する際の種々の状態を設定する設定手段と、
上記記録媒体の管理領域に記録されている２つ以上のデータにより構成される固有コードを読出す読出手段と、この設定手段により設定される種々の設定状態を上記読出手段により読出した固有コードに対応して記憶する記憶手段と、
を具備したことを特徴とする再生装置。
【請求項８】
一部の領域に管理領域と、他の領域にデータ領域が形成され、上記データ領域には、少なくとも１つの主映像データと、この主映像データと同一時間帯に再生可能な少なくとも１つの副映像データ、および少なくとも１つのオーディオデータとが記録されている記録媒体から主映像データ、副映像データ、およびオーディオデータを再生する再生装置において、
上記記録媒体のデータ領域の主映像データ、副映像データ、およびオーディオデータを読取る読取手段と、
この読取手段により読取られた主映像データと副映像データとオーディオデータを再生出力に変換する変換手段と、
この変換手段により変換された再生出力を出力する出力手段と、
上記記録媒体の管理領域に記録されている２つ以上のデータにより構成される固有コードを読出す読出手段と、
上記記録媒体の取出し時に、上記読出手段により読出した固有コードに対応して再生停止位置を記憶する記憶手段と、
を具備したことを特徴とする再生装置。
【請求項９】
記録媒体に記録されているデータを再生するものにおいて、
上記記録媒体ごとの少なくとも１つのデータにより構成される固有コードに対応して、種々の設定状態があらかじめ記憶手段に記憶し、
上記記録媒体が装填された際に、上記記録媒体の固有コードを読出し、
この固有コードと一致する固有コードに対応する種々の設定状態を上記記憶手段から読出し、
この読出された種々の設定状態に設定し、
この種々の設定状態に設定された状態で、上記記録媒体のデータを再生する、
ことを特徴とする再生方法。
【請求項１０】
一部の領域に管理領域と、他の領域にデータ領域が形成され、上記データ領域には、少なくとも１つの主映像データと、この主映像データと同一時間帯に再生可能な少なくとも１つの副映像データ、および少なくとも１つのオーディオデータとが記録されている記録媒体から主映像データ、副映像データ、およびオーディオデータを再生するものにおいて、
上記記録媒体のデータ領域の主映像データ、副映像データ、およびオーディオデータを読取り、
この読取られた主映像データと副映像データとオーディオデータを再生出力に変換し、
この変換された再生出力を出力し、
この再生出力を出力する際の種々の状態を設定し、
上記記録媒体の管理領域に記録されている少なくとも１つのデータにより構成される固有コードを読出し、
上記種々の設定状態を上記読出した固有コードに対応して記憶する、
ことを特徴とする再生装置。
【手続補正２】
【補正対象書類名】明細書
【補正対象項目名】００１２
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】